(57)【要約】【課題】振動の影響、及び基部に生じたひずみの影響を小さくできる血圧測定装置を提供すること。【解決手段】血圧測定装置１は、外郭ケース３１と、基部３３と、ポンプ１４と、基部３３の縁側に設置された操作部１３及び振動モータ１９と、基部３３のポンプ１４を挟んで操作部１３及び振動モータ１９の反対側の縁側に形成された、開閉弁１６が設置される第１孔３３ｄ１及び第２孔３３ｄ２、並びに、圧力センサ１７が設置される第３孔３３ｄ３及び第４孔３３ｄ４と、孔３３ｄ１，３３ｄ２，３３ｄ３，３３ｄ４に設けられたパッキン３５と、パッキン３５に支持された開閉弁１６及び圧力センサ１７と、を備える。【選択図】      図６
2019122471.tif 000002
【特許請求の範囲】
【請求項１】
外郭ケースと、
前記外郭ケース内に収容された基部と、
前記基部の、前記外郭ケースの中心に対して、生体に装着されたときの前記生体の周方向の一方向側に設置されたポンプと、
前記基部の、前記ポンプに対して前記周方向に直交する方向の一方向側に設置された駆動部と、
前記基部の、前記ポンプに対して前記周方向に直交する方向の他方向側に設けられた開閉弁と、
前記基部の、前記ポンプに対して前記周方向に直交する方向の他方向側に設けられた圧力センサと、
前記開閉弁及び前記圧力センサと、前記基部との間に設けられたパッキンと、
を備える血圧測定装置。
【請求項２】
前記基部は、前記駆動部と前記パッキンとの間に設けられ、前記周方向に直交する方向に延びるリブを備える、
請求項１に記載の血圧測定装置。
【請求項３】
前記基部は、前記リブが一部を構成する、前記ポンプを収容するポンプ収容部を備える、
請求項２に記載の血圧測定装置。
【請求項４】
前記ポンプは、前記基部に両面テープで固定される、
請求項１乃至請求項３のいずれか１項に記載の血圧測定装置。
【請求項５】
前記ポンプは、金属板から形成されたポンプ基部と、ポンプ本体と、を備える、
請求項１乃至請求項４のいずれか１項に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用される。血圧測定装置は、例えば、カフを生体の上腕又は手首等に巻き付け、カフを膨張及び収縮させ、圧力センサによりカフの圧力を検出することで、動脈壁の振動を検出して血圧を測定する（例えば、特許文献１参照。）。
【０００３】
このような家庭内で用いられる血圧測定装置は、小型化が求められる。
【先行技術文献】
【特許文献】
【０００４】
【特許文献１】特開２０１３−２２０１８７号公報
【発明の概要】
【発明が解決しようとする課題】
【０００５】
一般に、家庭内で用いられる血圧測定装置は、ユーザに計測開始を知らせる為の振動を発生する振動モータや、ユーザにより操作される操作部を有する。操作部はユーザにより押し込まれる釦、及び釦の操作を検出するセンサを有する。振動モータ、及びセンサは、ケース内の基部に固定される。
【０００６】
さらに、血圧測定装置を小型化する場合、空気が流れる流路部と、振動モータ及び操作部との間の距離が短くなる。流路部と、振動モータ及び操作部との間の距離が短くなることによって、振動モータが発生する振動、及び、操作部が操作されたことに起因して生じる基部のひずみが、流路部に作用する。
【０００７】
そこで本発明は、振動の影響、及び基部に生じたひずみの影響を小さくできる血圧測定装置を提供することを目的とする。
【課題を解決するための手段】
【０００８】
一態様によれば、外郭ケースと、前記外郭ケース内に収容された基部と、前記基部の、前記外郭ケースの中心に対して、生体に装着されたときの前記生体の周方向の一方向側に設置されたポンプと、前記基部の、前記ポンプに対して前記周方向に直交する方向の一方向側に設置された駆動部と、前記基部の、前記ポンプに対して前記周方向に直交する方向の他方向側に設けられた、開閉弁と、前記基部の、前記ポンプに対して前記周方向に直交する方向の他方向側に設けられた圧力センサと、前記開閉弁及び前記圧力センサと、前記基部との間に設けられたパッキンと、を備える血圧測定装置が提供される。
【０００９】
ここで、流体とは、液体及び空気を含む。ここで、流体回路とは、ポンプからの流体が流れる回路である。駆動部とは、振動モータ、及びスイッチを含む。スイッチは、ユーザにより操作される釦、及び釦の操作を検出するセンサを含む。
【００１０】
この態様によれば、開閉弁、圧力センサ、及びパッキンが、駆動部に対して、ポンプを挟んで生体の周方向に直交する方向に反対側に配置されるので、開閉弁、圧力センサ、及びパッキンを、駆動部から離れた位置に配置できる。この為、駆動部により生じる振動や基部のひずみによる影響を小さくできる。さらに、開閉弁及び圧力センサが、パッキンを介して基部に支持されることによって、駆動部で生じた振動や基部のひずみがパッキンにより吸収される。
【００１１】
上記一態様の血圧測定装置において、前記基部は、前記駆動部と前記パッキンとの間に設けられ、前記周方向に直交する方向に延びるリブを有する、血圧測定装置が提供される。
【００１２】
この態様によれば、リブによって基部の強度を向上できる。
【００１３】
上記一態様の血圧測定装置において、前記基部は、前記リブが一部を構成する、前記ポンプを収容するポンプ収容部を備える、血圧測定装置が提供される。
【００１４】
この態様によれば、ポンプ収容部を利用することで基部の強度を向上できる。
【００１５】
上記一態様の血圧測定装置において、前記ポンプは、前記基部に両面テープで固定される、血圧測定装置が提供される。
【００１６】
この態様によれば、両面テープによって、駆動部で生じた振動や基部のひずみが、吸収される。
【００１７】
上記一態様の血圧測定装置において、前記ポンプは、金属板から形成されたポンプ基部と、ポンプ本体と、を備える、血圧測定装置が提供される。
【００１８】
この態様によれば、ポンプ基部によって基部の強度を向上できる。
【発明の効果】
【００１９】
本発明は、振動の影響、及び基部に生じたひずみの影響を小さくできる血圧測定装置を提供することができる。
【図面の簡単な説明】
【００２０】
【図１】本発明の一実施形態に係る血圧測定装置の構成を示す斜視図。
【図２】同血圧測定装置の構成を示す斜視図。
【図３】同血圧測定装置の構成を示す分解図。
【図４】同血圧測定装置の構成を示すブロック図。
【図５】同血圧測定装置の装置本体の構成を示す斜視図。
【図６】同装置本体の内部の構成を示す平面図。
【図７】同装置本体の内部の構成を示す平面図。
【図８】同血圧測定装置の装置本体の構成を示す断面図。
【図９】同血圧測定装置の装置本体の構成を示す断面図。
【図１０】同血圧測定装置の基部を示す平面図。
【図１１】同血圧測定装置のカフ構造体の構成を示す平面図。
【図１２】同血圧測定装置のカーラ及びカフ構造体の構成を示す断面図。
【図１３】同カーラ及びカフ構造体の構成を示す断面図。
【図１４】同カフ構造体の押圧カフの膨張時の構成を模式的に示す側面図。
【図１５】同カフ構造体の押圧カフの膨張時の構成を模式的に示す断面図。
【図１６】同血圧測定装置の使用の一例を示す流れ図。
【図１７】同血圧測定装置を手首に装着する一例を示す斜視図。
【図１８】同血圧測定装置を手首に装着する一例を示す斜視図。
【図１９】同血圧測定装置を手首に装着する一例を示す斜視図。
【図２０】同血圧測定装置の他の構成を示す斜視図。
【発明を実施するための形態】
【００２１】
以下、本発明の一実施形態に係る血圧測定装置１の一例について、図１乃至図１５を用いて以下例示する。
【００２２】
図１は、本発明の一実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解図である。図４は、血圧測定装置１の構成を示すブロック図である。図５は、血圧測定装置１の装置本体３の構成を裏蓋３６側から示す斜視図である。図６及び図７は、装置本体３の内部の構成をそれぞれ風防３２側及び裏蓋３６側から示す平面図である。
【００２３】
図８は、血圧測定装置１の装置本体３の構成を図６中ＶＩＩＩ−ＶＩＩＩ線断面で模式的に示す断面図である。図９は、血圧測定装置１の装置本体３の構成を、図６中ＩＸ−ＩＸ線断面で模式的に示す断面図である。図１０は、血圧測定装置１の基部３３の構成を示す平面図である。図１１は、血圧測定装置１のカフ構造体６の構成をセンシングカフ７３側から示す平面図である。
【００２４】
図１２は、血圧測定装置１のカーラ５及びカフ構造体６の構成を図１１中ＸＩＩ−ＸＩＩ線断面で模式的に示す断面図である。図１３は、カーラ５及びカフ構造体６の構成を図１１中ＸＩＩＩ−ＸＩＩＩ線断面で示す断面図である。図１４及び図１５は、カフ構造体６の押圧カフ７１及びセンシングカフ７３が膨張したときの一例を側面及び断面で模式的に示す図である。なお、図１２において、カーラ５及びカフ構造体６は、説明の便宜上、直線形状で模式的に示すが、血圧測定装置１に設けられた構成においては、湾曲する形状である。
【００２５】
血圧測定装置１は、生体に装着する電子血圧測定装置である。本実施形態においては、生体の手首１００に装着するウェアラブルデバイスの態様をもつ電子血圧測定装置を用いて説明する。図１乃至図１５に示すように、血圧測定装置１は、装置本体３と、ベルト４と、カーラ５と、押圧カフ７１及びセンシングカフ７３を有するカフ構造体６と、流体回路７と、を備える。
【００２６】
図１乃至図１０に示すように、装置本体３は、ケース１１と、表示部１２と、操作部１３と、ポンプ１４と、流路部１５と、開閉弁１６と、圧力センサ１７と、電力供給部１８と、振動モータ１９と、制御基板２０と、を備える。装置本体３は、ポンプ１４、開閉弁１６、圧力センサ１７及び制御基板２０等によって、押圧カフ７１に流体を供給する供給装置である。
【００２７】
ケース１１は、外郭ケース３１と、外郭ケース３１の上部開口を覆う風防３２と、外郭ケース３１の内部の下方に設けられた基部３３と、基部３３の裏面の一部を覆う流路カバー３４と、基部３３の表面の一部に設けられたパッキン３５と、外郭ケース３１の下方を覆う裏蓋３６と、を備える。また、ケース１１は、流体回路７の一部を構成する流路チューブ３７を備える。
【００２８】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備える。風防３２は、円形状のガラス板である。
【００２９】
外郭ケース３１は、図６及び図７に示すように、２つの一対のラグ３１ａの間に、操作部１３に用いられる釦４１の一部を配置する孔３１ｃが形成される。本実施形態では、釦４１が一例として３つ用いられることから、孔３１ｃは３つ形成される。３つの孔３１ｃは、外郭ケース３１の周方向に並んで配置される。
【００３０】
基部３３は、表示部１２、操作部１３、ポンプ１４、開閉弁１６、圧力センサ１７、電力供給部１８、振動モータ１９及び制御基板２０を保持する。また、基部３３は、流路部１５の一部を構成する。なお、開閉弁１６及び圧力センサ１７は、パッキン３５を介して、基部３３に支持される。
【００３１】
ポンプ１４は、外郭ケース３１の中心Ｃに対して、血圧測定装置１が生体に装着されたときの生体の周方向の一方向にずれた位置に配置される。ここで、生体は、具体例として、ユーザの手首１００である。血圧測定装置１が生体に装着されたときの生体の周方向の一方向は、具体例として、一方の２つのラグ３１ａから他方の２つのラグ３１ａへ向かう方向である。なお、本実施形態では、血圧測定装置１が生体に装着されたときの生体の周方向を周方向Ｖ１とする。また、外郭ケース３１の中心Ｃに対してずれるとは、ポンプ１４の中心と外郭ケース３１の中心がずれることである。
【００３２】
操作部１３は、基部３３の、ポンプ１４に対して、周方向Ｖ１に直交する方向のうち一方向に縁側に設けられる。開閉弁１６及び圧力センサ１７は、基部３３の、ポンプ１４に対して、周方向Ｖ１に直交する方向のうち他方向に縁側に設けられる。本実施形態では、周方向Ｖ１に直交する方向を直交方向Ｖ２とする。
【００３３】
基部３３の周縁の近傍のうち、図６及び図１０に示すように、孔３１ｃに対向する位置のそれぞれには、操作部１３に用いられるセンサ４２を保持するセンサ支持部３３ａが形成される。センサ支持部３３ａは、センサ４２を、表示部１２から裏蓋３６へ向かう方向、及び、外郭ケース３１の径方向の内側へ向かう方向に支持する。
【００３４】
基部３３の表示部１２側の外面である表面３３ｂには、ポンプ１４を保持するポンプ収容部３３ｃが形成される。ポンプ収容部３３ｃは、外郭ケース３１の中心Ｃに対して、周方向Ｖ１の一方向にずれた位置に配置される。具体例としては、ポンプ収容部３３ｃは、一方の一対のラグ３１ａ側にずれた位置に形成される。ここで、外郭ケース３１の中心Ｃに対して、周方向Ｖ１の一方向にずれるとは、ポンプ収容部３３ｃの中心が、外郭ケース３１の中心Ｃに対して周方向の一方向にずれることである。
【００３５】
ポンプ収容部３３ｃは、表面３３ｂに形成されたリブから構成される。ポンプ収容部３３ｃは、ポンプ１４が嵌合可能に形成される。ポンプ収容部３３ｃは、具体例として、ポンプ１４のポンプ基部１４ａが嵌合可能な枠状に形成される。具体例として、ポンプ基部１４ａが矩形の平板状であることから、ポンプ収容部３３ｃは、ポンプ基部１４ａが嵌合する矩形の枠状に形成される。ポンプ収容部３３ｃは、直交方向Ｖ２に延びた第１リブ３３ｃ１及び第２リブ３３ｃ２と、周方向Ｖ１に延びた第３リブ３３ｃ３及び第４リブ３３ｃ４と、を有している。
【００３６】
基部３３は、ポンプ収容部３３ｃの内側に、孔３３ｃ５を有する。孔３３ｃ５は、基部３３を貫通し、孔３３ｃ５は、流路部１５の一部を構成する。
【００３７】
基部３３の、直交方向Ｖ２でポンプ収容部３３ｃを挟んでセンサ支持部３３ａが形成される縁側と相対する縁側には、パッキン３５、開閉弁１６、及び圧力センサ１７を保持する取り付け部３３ｄが形成される。取り付け部３３ｄは、図８及び図１０に示すように、具体例として、パッキン３５の第１ノズル３５ａが嵌合する第１孔３３ｄ１、パッキン３５の第２ノズル３５ｂが嵌合する第２孔３３ｄ２、パッキン３５の第３ノズル３５ｃが嵌合する第３孔３３ｄ３、及び、パッキン３５の第４ノズル３５ｄが嵌合する第４孔３３ｄ４である。開閉弁１６及び圧力センサ１７は、具体例として、パッキン３５を介して取り付け部３３ｄに取り付けられる。
【００３８】
これら第１孔３３ｄ１、第２孔３３ｄ２、第３孔３３ｄ３、及び第４孔３３ｄ４は、基部３３を貫通し、流路部１５に連通する。また、第１孔３３ｄ１、第２孔３３ｄ２、第３孔３３ｄ３、及び第４孔３３ｄ４は、周方向Ｖ１に並んで配置される。
【００３９】
このように構成された取り付け部３３ｄの一部、具体例として、第２孔３３ｄ２、第３孔３３ｄ３、及び第４孔３３ｄ４は、ポンプ収容部３３ｃに、直交方向Ｖ２に並んでいる。
【００４０】
基部３３の表面３３ｂのセンサ支持部３３ａが形成される側の縁と、ポンプ収容部３３ｃとの間には、振動モータ１９を保持するモータ支持部３３ｆが形成される。モータ支持部３３ｆは、具体例として、センサ支持部３３ａと、ポンプ収容部３３ｃと、の間に形成される。モータ支持部３３ｆは、振動モータ１９よりわずかに小さい枠状に形成される。モータ支持部３３ｆは、振動モータ１９が圧入される。
【００４１】
流路カバー３４は、基部３３の裏蓋３６側の外面である裏面に固定される。基部３３及び流路カバー３４は、一方又は双方に溝が設けられることで、流路部１５の一部を構成する。流路カバー３４は、孔３３ｃ５、第１孔３３ｄ１、第２孔３３ｄ２、第３孔３３ｄ３、及び第４孔３３ｄ４を覆う。
【００４２】
パッキン３５は、図３及び図８に示すように、取り付け部３３ｄに固定される。パッキン３５は、具体例として、パッキン３５の、第１ノズル３５ａ、第２ノズル３５ｂ、第３ノズル３５ｃ、及び第４ノズル３５ｄが、基部３３の第１孔３３ｄ１、第２孔３３ｄ２、第３孔３３ｄ３、及び第４孔３３ｄ４に嵌合することによって、取り付け部３３ｄに固定される。
具体例として、第１ノズル３５ａは、第１孔３５ｄ１に嵌合される。第１ノズル３５ａは、第１孔３３ｄ１の周面と開閉弁１６のノズル１６ａとの間を密封する。第２ノズル３５ｂは、第２孔３３ｄ２に嵌合される。第２ノズル３５ｂは、第２孔３３ｄ２の周面と開閉弁１６のノズル１６ａとの間を密封する。第３ノズル３５ｃは、第３孔３３ｄ３に嵌合される。第３ノズル３５ｃは、第３孔３３ｄ３の周面と圧力センサ１７のノズル１７ａとの間を密封する。第４ノズル３５ｄは、第４孔３３ｄ４に嵌合される。第４ノズル３５ｄは、第４孔３３ｄ４の周面と圧力センサ１７のノズル１７ａとの間を密封する。
【００４３】
パッキン３５は、弾性体から形成される。ここで言う弾性体とは、振動モータ１９により生じる振動、及び、操作部１３の釦４１が操作されたことに起因して生じる基部３３のひずみを吸収可能であり、且つ、基部３３と、開閉弁１６及び圧力センサ１７との間を密封できるものである。
【００４４】
パッキン３５は、開閉弁１６及び圧力センサ１７を収容する凹部が複数形成された直方体状に形成される。本実施形態では開閉弁１６が２つ用いられ、圧力センサ１７が２つ用いられることから、パッキン３５は、具体例として、第１凹部３５ｅ、第２凹部３５ｆ、第３凹部３５ｇ、及び第４凹部３５ｈを有する。
【００４５】
第１凹部３５ｅは、一方の開閉弁１６を収容する。本実施形態では開閉弁１６が例えば直方体状であることから、具体例として矩形の凹部に形成される。第２凹部３５ｆは、他方の開閉弁１６を収容する。第２凹部３５ｆは、具体例として矩形の凹部に形成される。第３凹部３５ｇは、一方の圧力センサ１７を収容する。本実施形態では圧力センサ１７が例えば直方体状であることから、具体例として矩形の凹部に形成される。第４凹部３５ｈは、他方の圧力センサ１７を収容する。第４凹部３５ｈは、具体例として矩形の凹部に形成される。第１凹部３５ｅ、第２凹部３５ｆ、第３凹部３５ｇ、及び第４凹部３５ｈは、周方向Ｖ１に並んでいる。
【００４６】
第１凹部３５ｅの内面は、開閉弁１６との間を密封する。第１凹部３５ｅの基部３３の表面３３ｂ側の外面となる裏面には、第１ノズル３５ａが形成される。第１ノズル３５ａは、第１凹部３５ｅ内に連通する。また、第１ノズル３５ａは、開閉弁１６のノズル１６ａが嵌合する。
【００４７】
第２凹部３５ｆの内面は、開閉弁１６との間を密封する。第２凹部３５ｆの表面３３ｂ側の外面となる裏面には、第２ノズル３５ｂが形成される。第２ノズル３５ｂは、第２凹部３５ｆ内に連通する。また、第２ノズル３５ｂは、開閉弁１６のノズル１６ａが嵌合する。
【００４８】
第３凹部３５ｇの内面は、圧力センサ１７との間を密封する。第３凹部３５ｇの表面３３ｂ側の外面となる裏面には、第３ノズル３５ｃが形成される。第３ノズル３５ｃは、第３凹部３５ｇ内に連通する。また、第３ノズル３５ｃは、圧力センサ１７のノズル１７ａが嵌合する。
【００４９】
第４凹部３５ｈの内面は、圧力センサ１７との間を密封する。第４凹部３５ｈの表面３３ｂ側の外面となる裏面には、第４ノズル３５ｄが形成される。第４ノズル３５ｄは、第４凹部３５ｈ内に連通する。また、第４ノズル３５ｄは、圧力センサ１７のノズル１７ａが嵌合する。
【００５０】
裏蓋３６は、外郭ケース３１の生体側の端部を覆う。裏蓋３６は、例えば４つのビス３６ａ等によって外郭ケース３１又は基部３３の生体側の端部に固定される。
【００５１】
流路チューブ３７は、流路部１５の一部を構成する。流路チューブ３７は、例えば、開閉弁１６及び基部３３の流路部１５を構成する一部を接続する。
【００５２】
表示部１２は、外郭ケース３１の基部３３上であって、且つ、風防３２の直下に配置される。表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００５３】
操作部１３は、ユーザからの指令を入力可能に構成される。操作部１３は、本発明の駆動部の一例である。操作部１３は、例えば、ケース１１に設けられた複数の釦４１と、釦４１の操作を検出する複数のセンサ４２と、表示部１２又は風防３２に設けられたタッチパネル４３と、を備える。操作部１３は、ユーザが操作することで、指令を電気信号に変換する。センサ４２及びタッチパネル４３は、電気的に制御基板２０に接続され、電気信号を制御基板２０へ出力する。
【００５４】
複数の釦４１は、例えば３つ設けられる。釦４１の一部は、外郭ケース３１に形成された孔３１ｃに配置される。釦４１の一部は、外郭ケース３１の外周面から突出する。釦４１の一部は、センサ４２に接続される。
【００５５】
複数のセンサ４２は、基部３３に形成されたセンサ支持部３３ａに支持される。複数のセンサ４２は、具体例として、一例として基部３３に対して縦の姿勢で保持可能に形成される。ここで言う縦の姿勢とは、釦４１の押し込み方向に対して直交する姿勢である。複数のセンサ４２は、表示部１２から裏蓋３６へ向かう方向、及び、釦４１の押し込み方向に対して支持される。タッチパネル４３は、例えば、風防３２に一体に設けられる。
【００５６】
ポンプ１４は、例えば圧電ポンプである。ポンプ１４は、空気を圧縮し、基部３３の孔３３ｃ５から流路部１５を介して圧縮空気をカフ構造体６に供給する。ポンプ１４は、電気的に制御部５５に接続される。ポンプ１４は、金属、具体例としてステンレス鋼から形成された板状のポンプ基部１４ａと、ポンプ基部１４ａに設置されたポンプ本体１４ｂと、を備える。
【００５７】
ポンプ基部１４ａは、例えば、ポンプ収容部３３ｃと同じ外形状の矩形状に形成される。ポンプ基部１４ａは、ポンプ本体１４ｂから吐出された圧縮空気を通す孔を有する。ポンプ基部１４ａは、枠状に形成されたポンプ収容部３３ｃ内に嵌合される。ポンプ基部１４ａは、両面テープ１４ｃによって、表面３３ｂに固定される。
【００５８】
流路部１５は、基部３３の裏蓋３６側の主面及び基部３３の裏蓋３６側を覆う流路カバー３４に設けられた溝等より構成された空気の流路である。流路部１５は、ポンプ１４から押圧カフ７１へつながる流路、及び、ポンプ１４からセンシングカフ７３へつながる流路を構成する。また、流路部１５は、押圧カフ７１から大気へつながる流路、及び、センシングカフ７３から大気へつながる流路を構成する。
【００５９】
流路カバー３４は、押圧カフ７１及びセンシングカフ７３がそれぞれ接続される被接続部３４ａを有する。被接続部３４ａは、例えば、流路カバー３４に設けられた、円筒状のノズルである。
【００６０】
開閉弁１６は、流路部１５の一部を開閉する。開閉弁１６は、例えば、複数設けられ、各開閉弁１６の開閉の組み合わせによりポンプ１４から押圧カフ７１へつながる流路、ポンプ１４からセンシングカフ７３へつながる流路、押圧カフ７１から大気へつながる流路、及び、センシングカフ７３から大気へつながる流路を選択的に開閉する。例えば、開閉弁１６は、２つ用いられる。
【００６１】
一方の開閉弁１６は、例えば第１凹部３５ｅと同じ外形状の直方体状に形成される。一方の開閉弁１６は、第１凹部３５ｅ内に嵌合される。一方の開閉弁１６のノズル１６ａは、第１ノズル３５ａ内に嵌合される。ノズル１６ａと第１ノズル３５ａとの間は密封される。ノズル１６ａの先端の開口は、流路部１５内に配置される。
【００６２】
他方の開閉弁１６は、例えば第２凹部３５ｆと同じ外形状の直方体形状に形成される。他方の開閉弁１６は、第２凹部３５ｆ内に嵌合される。他方の開閉弁１６のノズル１６ａは、第２ノズル３５ｂ内に嵌合される。ノズル１６ａと第２ノズル３５ｂとの間は密封される。ノズル１６ａの先端の開口は、流路部１５内に配置される。
【００６３】
圧力センサ１７は、押圧カフ７１及びセンシングカフ７３の圧力を検出する。圧力センサ１７は、電気的に制御基板２０に接続される。圧力センサ１７は、電気的に制御基板２０に接続され、検出した圧力を電気信号に変換し、制御基板２０へ出力する。圧力センサ１７は、例えば、ポンプ１４から押圧カフ７１へつながる流路、及び、ポンプ１４からセンシングカフ７３へつながる流路に設けられる。これらの流路は押圧カフ７１及びセンシングカフ７３と連続することから、これら流路内の圧力を押圧カフ７１及びセンシングカフ７３の内部空間の圧力となる。このように、圧力センサ１７は、２つ用いられる。圧力センサ１７は、具体例として、直方体状に形成される。
【００６４】
一方の圧力センサ１７は、例えば第３凹部３５ｇと同じ外形状の直方体形状に形成される。一方の圧力センサ１７は、第３凹部３５ｇ内に嵌合される。図８に示すように、一方の圧力センサ１７のノズル１７ａは、第３ノズル３５ｃ内に嵌合される。ノズル１７ａと第３ノズル３５ｃとの間は、シールされる。ノズル１７ａの先端の開口は、流路部１５内に配置される。
【００６５】
他方の圧力センサ１７は、例えば第４凹部３５ｈと同じ外形状の直方体形状に形成される。他方の圧力センサ１７は、第４凹部３５ｈ内に嵌合される。他方の圧力センサ１７のノズル１７ａは、第４ノズル３５ｄ内に嵌合される。ノズル１７ａと第４ノズル３５ｄとの間は、シールされる。ノズル１７ａの先端の開口は、流路部１５内に配置される。
【００６６】
電力供給部１８は、例えば、リチウムイオンバッテリ等の二次電池である。電力供給部１８は、制御基板２０に電気的に接続される。電力供給部１８は、制御基板２０に電力を供給する。
【００６７】
振動モータ１９は、図６に示すように、モータ支持部３３ｆ内に配置される。振動モータ１９は、具体例として、モータ支持部３３ｆ内に圧入され、嵌合される。振動モータ１９は、本発明の駆動部の一例である。
【００６８】
図４及び図６に示すように、制御基板２０は、例えば、基板５１と、加速度センサ５２と、通信部５３と、記憶部５４と、制御部５５と、を備える。制御基板２０は、加速度センサ５２、通信部５３、記憶部５４及び制御部５５が基板５１に実装されることで構成される。
【００６９】
基板５１は、２つの一対のラグ３１ａが並ぶ方向にポンプ１４と対向配置され、基部３３にビス等によって固定される。
【００７０】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００７１】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００７２】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００７３】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００７４】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６、各圧力センサ１７及び振動モータ１９に電気的に接続されるとともに、電力を供給する。また、制御部５５は、操作部１３及び圧力センサ１７が出力する電気信号に基づいて、表示部１２、ポンプ１４及び開閉弁１６の動作を制御する。また、制御部５５は、操作部１３及び圧力センサ１７が出力する電気信号に基づいて、振動モータ１９の動作を制御する。
【００７５】
例えば、制御部５５は、図４に示すように、血圧測定装置１全体の動作を制御するメインＣＰＵ５６及び流体回路７の動作を制御するサブＣＰＵ５７を有する。例えば、サブＣＰＵ５７は、操作部１３から血圧を測定する指令が入力されると、ポンプ１４及び開閉弁１６を駆動して押圧カフ７１及びセンシングカフ７３に圧縮空気を送る。また、例えばサブＣＰＵ５７は、操作部１３から血圧を測定する指令が入力されると、振動モータ１９を駆動する。
【００７６】
また、サブＣＰＵ５７は、圧力センサ１７が出力する電気信号に基づいて、ポンプ１４の駆動及び停止、並びに、開閉弁１６の開閉を制御し、圧縮空気を押圧カフ７１及びセンシングカフ７３に選択的に送るとともに、押圧カフ７１及びセンシングカフ７３を選択的に減圧する。また、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００７７】
図１乃至図３に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。
【００７８】
第１ベルト６１は、所謂親と呼ばれ、帯状に構成される。第１ベルト６１は、一方の端部に設けられ、第１ベルト６１の長手方向に直交する第１孔部６１ａと、他方の端部に設けられ、第１ベルト６１の長手方向に直交する第２孔部６１ｂと、第２孔部６１ｂに設けられた尾錠６１ｃと、を有する。第１孔部６１ａは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ａが配置されることで、外郭ケース３１に回転可能に保持される。
【００７９】
第２孔部６１ｂは、第１ベルト６１の先端に設けられる。
【００８０】
尾錠６１ｃは、矩形枠状の枠状体６１ｄと、枠状体６１ｄに回転可能に取り付けられたつく棒６１ｅを有する。枠状体６１ｄは、つく棒６１ｅが取り付けられた一辺が第２孔部６１ｂに挿入され、第１ベルト６１に関して回転可能に取り付けられる。
【００８１】
第２ベルト６２は、所謂剣先と呼ばれ、枠状体６１ｄに挿入可能な幅を有する帯状に構成される。また、第２ベルト６２は、つく棒６１ｅが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００８２】
このようなベルト４は、第２ベルト６２が枠状体６１ｄに挿入され、小孔６２ａにつく棒６１ｅが挿入されることで、第１ベルト６１及び第２ベルト６２が一体に接続され、外郭ケース３１とともに、手首１００の周方向に倣った環状となる。
【００８３】
カーラ５は、樹脂材料で構成され、手首の周方向に沿って湾曲する帯状に構成される。カーラ５は、例えば、一端が装置本体３の例えば基部３３及び流路カバー３４と裏蓋３６との間に固定され、他端が装置本体３に近接して構成される。
【００８４】
図１乃至図３、図１４に示すように、カーラ５は、例えば、手首の周方向Ｖ１に対して直交する方向、換言すると手首の長手方向からの側面視で手首１００の周方向Ｖ１に沿って湾曲する形状を有する、樹脂材料で形成される。カーラ５は、例えば、装置本体から手首の手の甲側から一方の側方側を通って手の平側へと渡り、他方の側方側の中央側へと延びる。即ち、カーラ５は、手首の周方向に沿って湾曲することで、手首１００の周方向の大半に渡るとともに、両端が所定の間隔を有して離間する。
【００８５】
カーラ５は、可撓性及び形状保持性を有する硬さを有する。ここで、可撓性とは、カーラ５に外力が印加されたときに径方向に形状が変形することをいい、例えば、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できること、本実施形態においてはカーラ５の形状が手首の周方向に沿って湾曲する形状を維持できることである。カーラ５は、樹脂材料で構成される。カーラ５は、例えば、ポリプロピレンによって厚さが１ｍｍ程度に形成される。カーラ５は、カーラ５の内面形状に沿ってカフ構造体６を保持する。
【００８６】
図１乃至図４、図１２乃至図１４に示すように、カフ構造体６は、押圧カフ７１と、背板７２と、センシングカフ７３と、を備える。カフ構造体６は、押圧カフ７１、背板７２、及びセンシングカフ７３が積層され、一体に構成される。カフ構造体６は、カーラ５の内面に固定される。
【００８７】
押圧カフ７１は、カフの一例である。押圧カフ７１は、流路部１５を介してポンプ１４に流体的に接続される。押圧カフ７１は、膨張することで背板７２及びセンシングカフ７３を生体側に押圧する。押圧カフ７１は、複数の空気袋８１と、空気袋８１と連通するチューブ８２と、チューブ８２の先端に設けられた接続部８３と、を含む。
【００８８】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。
【００８９】
複数の空気袋８１は、積層され、積層方向に流体的に連通する。具体例として、押圧カフ７１は、積層方向に流体的に連通する二層の空気袋８１と、一方の空気袋８１の長手方向の一方の端部に設けられたチューブ８２と、チューブ８２の先端に設けられた接続部８３と、を備える。
【００９０】
押圧カフ７１は、一方の空気袋８１の主面がカーラ５の内面に固定される。例えば、押圧カフ７１は、カーラ５の内面に両面テープや接着剤により貼付される。
【００９１】
二層の空気袋８１は、一方向に長い矩形状に構成される。空気袋８１は、例えば、一方向に長い二枚のシート部材８６を組み合わせ、縁部を熱により溶着することで構成される。具体例として、二層の空気袋８１は、図１１乃至図１３に示すように、生体側から、第１シート部材８６ａと、第１シート部材８６ａと一層目の空気袋８１を構成する第２シート部材８６ｂと、第２シート部材８６ｂと一体に接着される第３シート部材８６ｃと、第３シート部材８６ｃと二層目の空気袋８１を構成する第４シート部材８６ｄと、を備える。
【００９２】
第１シート部材８６ａ及び第２シート部材８６ｂは、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。第４シート部材８６ｄは、カーラ５側の外面に接着剤層や両面テープが設けられ、この接着剤層や両面テープによりカーラ５に貼付される。
【００９３】
第３シート部材８６ｃ及び第４シート部材８６ｄは、四辺の周縁部が溶着されることで空気袋８１を構成する。また、例えば、第３シート部材８６ｃ及び第４シート部材８６ｄの一辺に、空気袋８１の内部空間と流体的に連続するチューブ８２が配置され、溶着により固定される。例えば、第３シート部材８６ｃ及び第４シート部材８６ｄは、第３シート部材８６ｃ及び第４シート部材８６ｄの間にチューブ８２が配置された状態で四辺の周縁部を溶着して空気袋８１を成形することで、チューブ８２が一体に溶着される。
【００９４】
チューブ８２は、二層の空気袋８１の一方に接続されるとともに、空気袋８１の長手方向の一方の端部に設けられる。具体例として、チューブ８２は、二層の空気袋８１のカーラ５側であって、且つ、装置本体３に近い端部に設けられる。チューブ８２は、先端に、接続部８３を有する。チューブ８２は、流体回路７のうち、装置本体３と空気袋８１との間の流路を構成する。接続部８３は、流路カバー３４の被接続部３４ａに接続される。接続部８３は、例えばニップルである。
【００９５】
背板７２は、押圧カフ７１の第１シート部材８６ａの外面８６ａ１に、接着剤層や両面テープ等により貼付される。背板７２は、樹脂材料で形成され、板状に形成される。背板７２は、例えば、ポリプロピレンからなり、厚さが１ｍｍ程度の板状に形成される。背板７２は、形状追従性を有する。
【００９６】
ここで、形状追従性とは、配置される手首１００の被接触箇所の形状を倣うように背板７２が変形可能な機能をいい、手首１００の被接触箇所とは、背板７２と接触する領域をいい、ここでの接触とは、直接的な接触及び間接的な接触の双方を含む。
【００９７】
このため、形状追従性とは、押圧カフ７１に設けられた背板７２が、又は、押圧カフ７１及びセンシングカフ７３の間に設けられた背板７２が、背板７２自身が又は背板７２に設けられたセンシングカフ７３が手首１００に倣うか、又は、手首１００に倣い密着する程度まで変形する機能である。
【００９８】
例えば、背板７２は、背板７２の両主面に、それぞれ対向する位置にであって、且つ、背板７２の長手方向に等間隔に配置された複数の溝７２ａを有する。これにより、背板７２は、複数の溝７２ａを有する部位が溝７２ａを有さない部位に比べて薄肉となることで、複数の溝７２ａを有する部位が変形しやすいことから、手首１００の形状に倣って変形する形状追従性を有する。背板７２は、手首１００の手の平側を覆う長さに形成される。背板７２は、手首１００の形状に沿った状態で、押圧カフ７１からの押圧力をセンシングカフ７３の背板７２側の主面に伝達する。
【００９９】
センシングカフ７３は、背板７２の生体側の主面に固定される。センシングカフ７３は、図１２に示すように、手首１００の動脈が存する領域に直接接触する。センシングカフ７３は、背板７２の長手方向及び幅方向で、背板７２と同一形状か、又は、背板７２よりも小さい形状に形成される。センシングカフ７３は、膨張することで手首１００の手の平側の動脈１１０が存する領域を圧迫する。センシングカフ７３は、膨張した押圧カフ７１により、背板７２を介して生体側に押圧される。
【０１００】
具体例として、センシングカフ７３は、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に両面テープや接着剤層等により貼付される。
【０１０１】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。このような複数の空気袋９１は、積層され、積層方向に流体的に連通する。
【０１０２】
空気袋９１は、一方向に長い矩形状に構成される。空気袋９１は、例えば、一方向に長い二枚のシート部材を組み合わせ、縁部を熱により溶着することで構成される。具体例として、空気袋９１は、図１２及び図１３に示すように、生体側から第５シート部材９６ａ及び第６シート部材９６ｂを備える。
【０１０３】
例えば、第５シート部材９６ａ及び第６シート部材９６ｂは、第５シート部材９６ａ及び第６シート部材９６ｂの一辺に、空気袋９１の内部空間と流体的に連続するチューブ９２が配置され、溶着により固定される。例えば、第５シート部材９６ａ及び第６シート部材９６ｂは、第５シート部材９６ａ及び第６シート部材９６ｂ間にチューブ９２が配置された状態で四辺の周縁部を溶着して空気袋９１を成形することで、チューブ９２が一体に溶着される。
【０１０４】
チューブ９２は、空気袋９１の長手方向の一方の端部に設けられる。具体例として、チューブ９２は、空気袋９１の装置本体３に近い端部に設けられる。チューブ９２は、先端に、接続部９３を有する。チューブ９２は、流体回路７のうち、装置本体３と空気袋９１との間の流路を構成する。接続部９３は、流路カバー３４の被接続部３４ａに接続される。接続部９３は、例えばニップルである。
【０１０５】
また、押圧カフ７１及びセンシングカフ７３を形成する各シート部材８６、９６は、熱可塑性エラストマーにより構成される。シート部材８６、９６を構成する熱可塑性エラストマーとしては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエスえる系樹脂（ThermoPlastic Polyester）及び熱可塑性ポリアミド樹脂（Thermoplastic PolyAmide）を用いることができる。熱可塑性エラストマーとしては、ＴＰＵを用いることが好ましい。シート部材は、単層構造を有していても良く、また、複層構造を有していても良い。
【０１０６】
なお、シート部材８６、９６は、熱可塑性エラストマーに限定されず、シリコーン等の熱硬化性エラストマーであってもよく、また、熱可塑性エラストマー（例えばＴＰＵ）と熱硬化性エラストマー（例えばシリコーン）との組み合わせであっても良い。
【０１０７】
シート部材８６、９６は、熱可塑性エラストマーを用いる場合には、Ｔダイ押し出し成形や射出成形等の成形方式が用いられ、熱硬化性エラストマーを用いる場合には、金型注型成形等の成形方式が用いられる。シート部材は、各成形方式で成形された後、所定の形状にサイジングされ、そして、サイジングした個片を接着や溶着等により接合することで袋状構造体８１、９１を構成する。接合の方式としては、熱可塑性エラストマーを用いる場合には、高周波ウェルダーやレーザー溶着が用いられ、熱硬化性エラストマーを用いる場合には、分子接着剤が用いられる。
【０１０８】
流体回路７は、ケース１１、ポンプ１４、流路部１５、開閉弁１６、圧力センサ１７、押圧カフ７１、及び、センシングカフ７３によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【０１０９】
流体回路７は、図４に示すように、例えば、ポンプ１４から押圧カフ７１を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備える。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【０１１０】
このような流体回路７は、第１開閉弁１６Ａ及び第２開閉弁１６Ｂが閉じることで、第１流路７ａのみがポンプ１４と接続し、ポンプ１４及び押圧カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び押圧カフ７１、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、押圧カフ７１及び大気が流体的に接続される。流体回路７は、第１開閉弁１６Ａ及び第２開閉弁１６Ｂが開くことで、第１流路７ａ、第２流路７ｂ及び第３流路７ｃが接続され、押圧カフ７１、センシングカフ７３及び大気が流体的に接続される。
【０１１１】
次に、血圧測定装置１を使用した血圧値の測定の一例について、図１６乃至図１９を用いて説明する。図１６は、血圧測定装置１を用いた血圧測定の一例を示す流れ図であり、ユーザの動作及び制御部５５の動作の双方を示す。また、図１７乃至図１９は、ユーザが手首１００に血圧測定装置１を装着する一例を示す。
【０１１２】
先ず、ユーザは、手首１００に血圧測定装置１を装着する（ステップＳＴ１）。具体例として、例えば、ユーザは、図１７に示すように、手首１００の一方をカーラ５内に挿入する。
【０１１３】
このとき、血圧測定装置１は、装置本体３及びセンシングカフ７３がカーラ５の相対する位置に配置されることから、センシングカフ７３を手首１００の手の平側の動脈１１０が存する領域に配置される。これにより、装置本体３は、手首１００の手の甲側に配される。次いで図１８に示すように、ユーザが血圧測定装置１を配した手とは反対の手によって、第１ベルト６１の尾錠６１ｃの枠状体６１ｄに第２ベルト６２を通す。次いで、ユーザは、第２ベルト６２を引っ張り、カーラ５の内周面側の部材、即ち、カフ構造体６を手首１００に密着させ、小孔６２ａにつく棒６１ｅを挿入する。これにより、図１９に示すように、第１ベルト６１及び第２ベルト６２が接続され、血圧測定装置１が手首１００に装着される。
【０１１４】
次に、ユーザは、操作部１３の例えば釦４１及びタッチパネル４３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、振動モータ１９を駆動する。振動モータ１９が駆動されると、振動が生じる。この振動はケース１１を介してユーザに伝達される。ユーザは、振動によって、計測開始を認識する。また、制御部５５は、当該電気信号を受信すると、例えば、第１開閉弁１６Ａを開くとともに、第２開閉弁１６Ｂを閉じ、ポンプ１４を駆動し、第１流路７ａ及び第２流路７ｂを介して押圧カフ７１及びセンシングカフ７３へ圧縮空気を供給する（ステップＳＴ３）。これにより、押圧カフ７１及びセンシングカフ７３は膨張を開始する。
【０１１５】
第１圧力センサ１７Ａ及び第２圧力センサ１７Ｂは、押圧カフ７１及びセンシングカフ７３の圧力をそれぞれ検出し、この圧力に対応した電気信号を制御部５５へ出力する（ステップＳＴ４）。制御部５５は、受信した電気信号に基づいて、押圧カフ７１及びセンシングカフ７３の内部空間の圧力が血圧測定のための所定の圧力に達しえるか否かを判断する（ステップＳＴ５）。例えば、押圧カフ７１の内圧が所定の圧力に達しておらず、且つ、センシングカフ７３の内圧が所定の圧力に達した場合には、制御部５５は、第１開閉弁１６Ａを閉じ、第１流路７ａを介して圧縮空気を供給する。
【０１１６】
押圧カフ７１の内圧及びセンシングカフ７３の内圧が、双方ともに所定の圧力に達した場合には、制御部５５は、ポンプ１４の駆動を停止する（ステップＳＴ５でＹＥＳ）。このとき、図１４に示すように、押圧カフ７１は十分に膨張しており、膨張した押圧カフ７１は、手首１００、背板７２を押圧する。また、押圧カフ７１は、案内部８４に沿って皺が生じえる。
【０１１７】
さらに、センシングカフ７３は、内圧が血圧を測定するために要する圧力となるように所定の空気量が供給され、膨張しており、そして、押圧カフ７１に押圧された背板７２によって手首１００に向かって押圧される。このため、センシングカフ７３は、手首１００内の動脈１１０を押圧し、図１５に示すように動脈１１０を閉塞する。
【０１１８】
また、制御部５５は、第２開閉弁１６Ｂを制御し、第２開閉弁１６Ｂの開閉を繰り返すか、又は、第２開閉弁１６Ｂの開度を調整することで、押圧カフ７１の内部空間の圧力を減圧させる。この減圧の過程において第２圧力センサ１７Ｂが出力する電気信号に基づいて、制御部５５は、最高血圧及び最低血圧等の血圧値や心拍数等の測定結果を求める。  
なお、血圧測定時における第１開閉弁１６Ａ及び第２開閉弁１６Ｂの開閉のタイミングは適宜設定でき、また、制御部５５は、押圧カフ７１の加圧過程において血圧を算出する例を説明したが、押圧カフ７１の減圧過程で血圧を算出してもよく、また、押圧カフ７１の加圧過程及び減圧過程の双方で血圧を算出してもよい。次に、制御部５５は、求めた測定結果に対応した画像信号を、表示部１２へ出力する。
【０１１９】
表示部１２は、画像信号を受信すると、当該測定結果を画面に表示する。ユーザは、表示部１２を視認することで、当該測定結果を確認する。なお、ユーザは、測定終了後、小孔６２ａからつく棒６１ｅを外し、枠状体６１ｄから第２ベルト６２を外し、カーラ５から手首１００を抜くことで、手首１００から血圧測定装置１を取り外す。
【０１２０】
このように構成された一実施形態に係る血圧測定装置１は、操作部１３の操作や、動作開始時に振動モータ１９で報知することにより、釦４１や振動モータ１９により振動が生じる。しかしながら、血圧測定装置１は、駆動部の一例である操作部１３の一部、及び振動モータ１９が、ポンプ１４に対して直交方向Ｖ２の一方向側に設置され、パッキン３５、開閉弁１６、及び圧力センサ１７が、基部３３の、ポンプ１４を挟んで反対側に設置される。
【０１２１】
この為、パッキン３５、開閉弁１６、及び圧力センサ１７を、釦４１及び振動モータ１９から遠い位置に配置できるので、釦４１及び振動モータ１９で発生した振動が、パッキン３５、開閉弁１６、及び圧力センサ１７に伝わり難くなる。さらに、操作部の一部、及び振動モータ１９を、開閉弁１６及び圧力センサ１７から離した位置に設置することとなり、さらに、パッキン３５によって、振動モータ１９が駆動されることにより生じる基部３３の振動、及び、操作部１３が操作されることにより生じる基部３３のひずみを吸収できる。
【０１２２】
さらに、基部３３が、第１リブ３３ｃ１、第２リブ３３ｃ２、第３リブ３３ｃ３、及び第４リブ３３ｃ４を含むポンプ収容部３３ｃを有することによって、基部３３の強度を向上できる。基部３３の強度が向上することによって、釦４１が操作されることに起因して生じる基部３３のひずみを小さくすることができる。さらに、基部３３がリブとして、直交方向Ｖ２に延びる第１リブ３３ｃ１及び第２リブ３３ｃ２を有する。この為、基部３３は、直交方向Ｖ２の強度が向上する。この為、基部３３は、釦４１の押し込み方向の座屈強度が向上するので、釦４１が操作されることにより生じる基部３３のひずみの影響を小さくできる。
【０１２３】
さらに、ポンプ収容部３３ｃが枠状に形成されることによって、ポンプ収容部３３ｃの強度を向上できることによって基部３３の強度を向上できる。
【０１２４】
さらに、ポンプ１４が両面テープ１４ｃによって基部３３に固定される。この構成により、両面テープ１４ｃによって、基部３３に生じる振動及びひずみを吸収することができる。
【０１２５】
さらに、ポンプ１４が、金属板から形成されたポンプ基部１４ａを有する。この構成により、ポンプ基部１４ａによって基部３３が補強されるので、基部３３の強度を向上できる。
【０１２６】
さらに、流体回路７の一部を基部３３に構成することによって、血圧測定装置１を小型化できる。
【０１２７】
上述したように、一実施形態に係る血圧測定装置１によれば、振動の影響、及び基部３３に生じたひずみの影響を小さくできる。
【０１２８】
なお、本実施形態において、装置本体３が手首１００の手の甲側に配置する構成をしたが、装置本体３は、手首１００の手の平側に配置してもよい。即ち、装置本体３は、カーラ５のセンシングカフ７３が配される領域の外面に固定される構成であってもよい。このような構成の血圧測定装置１は、装置本体３が手の平側に配されることで、手首１００の動脈が存する領域に配置されることから、センシングカフ７３との距離が近く、このため、センシングカフ７３に設けられるチューブ９２の長さが短くて良い。
【０１２９】
なお、本実施形態では、カーラ５は、一端が装置本体３の例えば基部３３及び流路カバー３４と裏蓋３６との間に固定され、他端が装置本体３に近接して構成される。なお、カーラ５は、図２０に示すように、裏蓋３６の外面に固定され、一端が裏蓋３６の一方の一対のラグ３１ａ側から突出するとともに、一端から他端に向かって裏蓋３６の他方の一対のラグ３１ａ側から突出し、他端が一端に隣接する位置まで延設される構成であってもよい。
【０１３０】
ただし、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１３１】
１…血圧測定装置、３…装置本体、４…ベルト、５…カーラ、５ａ…突起部、６…カフ構造体、７…流体回路、７ａ…第１流路、７ｂ…第２流路、７ｃ…第３流路、１１…ケース、１１ａ…取り付け部、１２…表示部、１３…操作部、１４…ポンプ、１４ａ…ポンプ基部、１４ｂ…ポンプ本体、１４ｃ…両面テープ、１５…流路部、１６…開閉弁、１６Ａ…第１開閉弁、１６Ｂ…第２開閉弁、１７…圧力センサ、１７Ａ…第１圧力センサ、１７Ｂ…第２圧力センサ、１８…電力供給部、１９…振動モータ、２０…制御基板、３０…基部、３１…外郭ケース、３１ａ…ラグ、３１ｂ…バネ棒、３１ｃ…孔、３２…風防、３３…基部、３３ａ…センサ支持部、３３ｂ…表面、３３ｃ…ポンプ収容部、３３ｃ１…第１リブ、３３ｃ２…第２リブ、３３ｃ３…第３リブ、３３ｃ４…第４リブ、３３ｃ５…孔、３３ｄ…取り付け部、３３ｄ１…第１孔、３３ｄ２…第２孔、３３ｄ３…第３孔、３３ｄ４…第４孔、３４…流路カバー、３４ａ…被接続部、３５…パッキン、３５ａ…第１ノズル、３５ｂ…第２ノズル、３５ｃ…第３ノズル、３５ｄ…第４ノズル、３５ｅ…第１凹部、３５ｆ…第２凹部、３５ｇ…第３凹部、３５ｈ…第４凹部、３６…裏蓋、３６ａ…ビス、３７…流路チューブ、４１…釦、４２…センサ、４３…タッチパネル、５１…基板、５２…加速度センサ、５３…通信部、５４…記憶部、５５…制御部、６１…第１ベルト、６１ａ…第１孔部、６１ｂ…第２孔部、６１ｃ…尾錠、６１ｄ…枠状体、６１ｅ…つく棒、６２…第２ベルト、６２ａ…小孔、７１…押圧カフ、７２…背板、７２ａ…溝、７３…センシングカフ、７４…袋状カバー体、８１…袋状構造体、８１…空気袋、８２…チューブ、８３…接続部、８６…シート部材、８６ａ…第１シート部材、８６ａ１…外面、８６ｂ…第２シート部材、８６ｂ１…開口、８６ｃ…第３シート部材、８６ｃ１…開口、８６ｄ…第４シート部材、９１…袋状構造体、９１…空気袋、９２…チューブ、９３…接続部、９６…シート部材、９６ａ…第５シート部材、９６ｂ…第６シート部材、１００…手首、１１０…動脈。
【図１】
2019122471.tif 000003
【図２】
2019122471.tif 000004
【図３】
2019122471.tif 000005
【図４】
2019122471.tif 000006
【図５】
2019122471.tif 000007
【図６】
2019122471.tif 000008
【図７】
2019122471.tif 000009
【図８】
2019122471.tif 000010
【図９】
2019122471.tif 000011
【図１０】
2019122471.tif 000012
【図１１】
2019122471.tif 000013
【図１２】
2019122471.tif 000014
【図１３】
2019122471.tif 000015
【図１４】
2019122471.tif 000016
【図１５】
2019122471.tif 000017
【図１６】
2019122471.tif 000018
【図１７】
2019122471.tif 000019
【図１８】
2019122471.tif 000020
【図１９】
2019122471.tif 000021
【図２０】
2019122471.tif 000022